(57)【特許請求の範囲】
【請求項１】
ソレノイド，モータ等の電動アクチュエータによって駆動される孔開片を原動側とし、遊技球を入賞に導く可動部材に連結されたピンを従動側とし、孔開片に形成された係合孔にピンを遊嵌してなる遊技球入賞装置において、係合孔の内周に拡径部を設け、孔開片が駆動されることなくピンが動かされた場合に該ピンの係合孔内での接触部分が該拡径部側に変わることで該ピンが該拡径部に嵌入し、該ピンの相対的移動が阻止されるようにしたことを特徴とするパチンコ機の遊技球入賞装置。
【請求項２】
ソレノイド，モータ等の電動アクチュエータによって駆動されるピンを原動側とし、遊技球を入賞に導く可動部材に連結された孔開片を従動側とし、孔開片に形成された係合孔にピンを遊嵌してなる遊技球入賞装置において、係合孔の内周に拡径部を設け、ピンが駆動されることなく孔開片が動かされた場合に該ピンの係合孔内での接触部分が該拡径部側に変わることで該ピンが該拡径部に嵌入し、該孔開片の相対的移動が阻止されるようにしたことを特徴とするパチンコ機の遊技球入賞装置。
【発明の詳細な説明】
【０００１】
【発明の属する技術分野】
本発明はパチンコ機の遊技盤面上に遊技球を入賞に導く可動部材が設けられた遊技球入賞装置の構造に関するものである。
【０００２】
【従来の技術】
周知のようにパチンコ機の遊技盤面上には従来から種々の形態の遊技球入賞装置が設けられ、一対の可動部材がソレノイドの作動により開閉動するように構成したものもそのうちの一つである。
【０００３】
ところで、この種の遊技球入賞装置では、ソレノイド等の電動アクチュエータの動力を可動部材に伝達する手段として、ピンを係合孔に遊嵌した構造が従来から知られている。
【０００４】
【発明が解決しようとする課題】
しかし従来の上記遊技球入賞装置の構造では、例えば針金のようなものをガラス枠内に差し込んで可動部材を無理に開けようとすると簡単に開いてしまうので、遊技球を不正に入球させ賞球を得ようとする不正行為が行われるおそれがあった。
本発明の目的は、このような不正行為を未然に防止しようとするものである。
【０００５】
【課題を解決するための手段】
そのために本発明は、ソレノイド，モータ等の電動アクチュエータによって駆動される孔開片を原動側とし、遊技球を入賞に導く可動部材に連結されたピンを従動側とし、孔開片に形成された係合孔にピンを遊嵌してなる遊技球入賞装置において、係合孔の内周に拡径部を設け、孔開片が駆動されることなくピンが動かされた場合に該ピンの係合孔内での接触部分が該拡径部側に変わることで該ピンが該拡径部に嵌入し、該ピンの相対的移動が阻止されるようにしたことを特徴とする。
また本発明は、ソレノイド，モータ等の電動アクチュエータによって駆動されるピンを原動側とし、遊技球を入賞に導く可動部材に連結された孔開片を従動側とし、孔開片に形成された係合孔にピンを遊嵌してなる遊技球入賞装置において、係合孔の内周に拡径部を設け、ピンが駆動されることなく孔開片が動かされた場合に該ピンの係合孔内での接触部分が該拡径部側に変わることで該ピンが該拡径部に嵌入し、該孔開片の相対的移動が阻止されるようにしたことを特徴とする。
【０００６】
【発明の実施の形態】
次に図面に従い本発明の実施の形態を説明する。図１は本発明に係る遊技球入賞装置１，普通入賞口２等が設けられたパチンコ機の遊技盤の正面図、図２はこの遊技球入賞装置１の斜視図、図３はその裏面の斜視図である。この遊技球入賞装置１は、上部枠体３と下部枠体４によって囲われた入賞領域５の両側に遊技球を入賞に導く一対の可動部材６が回転伝動軸７によって反復回転自在に支持されている。なお、８は入賞領域５の中心部に設けられた装飾体、９は下部枠体４の中心に形成されたＶ入賞口、１０は該Ｖ入賞口の両側に形成された通常入賞口である。回転伝動軸７は該遊技球入賞装置１の両側に設けられた軸受１１により略水平に支持され、該各回転伝動軸７の後端には半径方向に延びるようにプラスチック製のクランク１２が設けられ、該クランク１２に後方に突出するピン１３が一体に形成されている。なお、該ピン１３はプラスチック材料の肉厚が略一定に保たれるように中空状に形成されたものである。
【０００７】
また、１４はこの遊技球入賞装置１の背部に鉛直に設けられたソレノイドで、該ソレノイドのスピンドル１５の下端に水平方向に延びる孔開片１６がビス１７によって固着され、該孔開片の両端部には横長孔状の係合孔１８が夫々形成され、該各係合孔に前記ピン１３を遊嵌している。なお１９はスピンドル１５の復帰用コイルバネである。
【０００８】
しかして、係合孔１８の内周にはピン１３が嵌入しその移動を阻止し得る拡径部２０が形成される。該拡径部２０は、可動部材６が閉止状態にあるときに、ソレノイド１４によって孔開片１６が駆動されることなくピン１３が動かされた場合に該ピンが当接する部位（この実施形態の場合は係合孔１８の内周上縁）に形成されている。
【０００９】
このように構成した遊技球入賞装置では、ソレノイド１４が消磁されているとき、図１〜図３に示したように、可動部材６は閉止状態、即ち、起立状態にあって入賞領域５へ遊技球が入賞できない状態にある。また、ソレノイド１４が励磁されスピンドル１５がコイルバネ１９の弾性に抗して上動し孔開片１６が上動すると、ピン１３は図５に矢印で示したように係合孔１８の内周下縁に沿ってスライドし回転伝動軸７を従動回転させることによって、可動部材６は図１〜図３に破断線で示したように開放状態、即ち、傾斜状態になり、入賞領域５へ遊技球を入賞し易い状態にする。
【００１０】
ところで、可動部材６は閉止状態にあるとき、不正な遊技者が針金等をガラス枠内に侵入させ該可動部材６を無理に開放状態にしようとすると、ピン１３が図６に示したように係合孔１８の拡径部２０に嵌入することから、該ピン１３の係合孔１８内での相対的移動が阻止される。このため、不正な手段によって可動部材６は開くことなく、閉止状態が維持される。
【００１１】
以上の構成は、孔開片１６を原動側とし、ピン１３を従動側とする請求項１に記載の発明の実施形態であるが、請求項２に記載の発明は、図７にその実施形態示したように、ピン１３をソレノイド１４によって駆動される原動側とし、孔開片１６を回転伝動軸７に設けて従動側とするものである。このように、原動側と従動側とを反対にしても、係合孔１８の内周のピン１３が駆動されることなく孔開片１６が動かされた場合に該ピン１３が当接する部位に拡径部２０を形成することにより、不正操作がされた場合は該拡径部２０にピン１３が嵌入しその相対的移動が阻止されるようなるので可動部材６を開かせないようにできる。
【００１２】
また、図８に示した実施形態は、ピン１３の外周に角状部１３ａを形成し、拡径部２０への嵌入状態が保持され易いようにしたものである。この角状部１３ａのように拡径部２０に係合し易い形態を形成することによって拡径部２０の深さがさほどでなくてもロック状態をより確実に維持できるようになるので、不正操作によって可動部材６が傾斜する度合いも最小限に抑えられる。
【００１３】
また、図９，図１０に示した遊技球入賞装置は、入賞領域５の上部に突設された庇板３０にスリット状のガイド孔３１を形成し、該ガイド孔中に突部３２が挿入されボス３８が該庇板３０の下面に接することにより水平方向にスライドし得るように一対の開閉片３３を入賞領域５の上部に設けるとともに、ソレノイド１４に孔開片１６，係合孔１８，ピン１３，回転伝動軸７を介して連結された孔開片３５の上端部に係合孔３４を、開閉片３３の下部に一体に突設したピン３６を該係合孔３４に遊嵌してなるもので、この実施形態の場合も係合孔３４の内周に拡径部３７を形成し、開閉片３３が不正手段により開けられようとすると、該拡径部３７にピン３６が嵌入することでロックされ、不正開放が防止されるようにしたものである。このように本発明におけるロック手段はソレノイド１４とこれによって開閉される部材との間の複数の連結機構の途中のいずれにも設けることができる。
【００１４】
また本発明は、孔開片とピンとの係合により原動側の直線運動を回転運動に変換するものだけでなく、原動側の回転運動を直線運動に変換したり、原動側の回転運動を同じく回転運動に伝達する場合にも適用できる。また、原動機としてはソレノイドに限らず、モータ等の電動アクチュエータが使用できる。
【００１５】
また上記実施形態では、長孔状の係合孔を図示したが、係合孔の形状は長孔に限定されるものではない。また、ピン１３が接触しない箇所については係合孔の一部に切欠の有る切欠状の係合孔を有する形態としてもよい。また、遊技球入賞装置の形状はこの実施形態に示したものに限らず遊技盤上に設けられ、遊技球を遊技者にとって不利な状況から有利な状況に導くために入賞案内部材を可動させるチューリップ，大入賞口等の種々の形態の入賞装置に使用できる。
【００１６】
例えば図１１〜図１３に示した実施形態は、いわゆる大入賞口の開閉機構に本発明を適用したもので、図１１はその外観斜視図、図１２はその要部の斜視図、図１３は縦断面図である。図中、４０は遊技盤の前面に貼着される取付板、４１は該取付板に開設された横長の大入賞口、４２は該大入賞口の下縁部に回転軸４３によって開閉自在（起立傾倒自在）に支持された長方形蓋板状の入賞案内部材、４４，４４は取付板４０の前面に設けられた通過ゲートである。
【００１７】
４５は励磁時にスピンドル４６がコイルバネ４７の弾性に抗して後方に後退するように設けられたソレノイド、４８は該スピンドル４６の先端に設けられた鉤状の孔開片で、該孔開片に形成された係合孔４９にはその下部の後側縁を拡張する拡径部５０が形成されている。また、５１は前記回転軸４３と平行なる支軸５２に支持された異形板状の制動片で、該制動片の一側に形成されたピン５３を係合孔４９に遊嵌している。
【００１８】
また、入賞案内部材４２の下縁部両端に鍔部５４が裏側に突出するように一体に形成され該鍔部に横方向に延びる係合片５５を一体に形成している。そして制動片５１に閉動用突起５６および開動用突起５７を形成し、該閉動用突起５６を係合片５５にその上方から相対させ、開動用突起５７を係合片５５にその下方から相対させている。
なお、５８は遊技盤の前面に遊技球流下空間５９を形成するべく張設された板ガラスである。
【００１９】
この遊技球入賞装置では、図１３に示したように、ソレノイド４５が消磁していてコイルバネ４７の弾性により孔開片４８が前方に進出しているとき、制動片５１の閉動用突起５６が係合片５５の上面に対接して入賞案内部材４２は起立閉止状態にあり、この状態で針金等を用いた不正手段により該入賞案内部材を開けようとする力が働き係合片５５が閉動用突起５６を押し上げようとすると、ピン５３が拡径部５０に移動し、該ピン５３が該拡径部５０の天壁部６０に衝突することから該制動片５１の旋回が阻止される。このため該入賞案内部材は起立閉止状態にてロックされ開けられない。
【００２０】
また、ソレノイド４５が励磁され孔開片４８が後退動すると、図１４→図１５にその過程を示したように、ピン５３が拡径部５０から脱し係合孔４９の前壁面に沿ってさらに上方に摺動し得るようになるので、上記ロック状態が解除され、制動片５１は矢印で示したように旋回し、開動用突起５７が係合片５５を突き上げることから入賞案内部材は前傾し、該入賞案内部材は重心が回転軸４３より外側にあることから自重でさらに大きく遊技球流下空間５９に突出し、図１５に示したように全開し遊技球を捕捉し得るようになる。なお、この全開状態では遊技球流下空間５９を流下する遊技球が該入賞案内部材に当たって該入賞案内部材を上方にバウンドさせても係合片５５が閉動用突起５６に当たることから該入賞案内部材が不意に閉じてしまうことがない。また、入賞案内部材４２は傾倒し始めると重心が外側に移動して自重でさらに傾倒し得るようになっていることから、遊技球流下空間５９を流下する遊技球が該入賞案内部材と板ガラス５８との間に咬み込みソレノイド４５を作動途中にて停止させるようなことが防止される。
【００２１】
また、ソレノイド４５が消磁すると、コイルバネ４７の弾性により孔開片４８が反対向きに回転し、閉動用突起５６が係合片５５を押し下げることから、入賞案内部材を図１３に示した起立閉止状態に復帰させる。
【００２２】
【発明の効果】
以上説明したように本発明の遊技球入賞装置は、孔開片またはピンが駆動されることなくピンまたは孔開片が動かされた場合に該ピンの係合孔内での接触部分が変わることでその相対的移動を阻止するロック手段を設けたので、可動部材を確実に閉状態に保たせることができ、不正行為を未然に防止し得る有益な効果がある。
【図面の簡単な説明】
【図１】本発明に係るパチンコ機の遊技盤の実施形態を示した正面図。
【図２】本発明に係るパチンコ機の遊技球入賞装置の実施形態を示した斜視図。
【図３】図２の遊技球入賞装置の裏面の斜視図。
【図４】図３の要部の拡大図。。
【図５】図４の作動状態図。
【図６】図４の作動状態図。
【図７】本発明の他の実施形態を示した遊技球入賞装置の裏面の斜視図。
【図８】本発明の他の実施形態を示した要部の拡大図。
【図９】本発明の他の実施形態を示した遊技球入賞装置の正面図。
【図１０】図９の遊技球入賞装置の分解斜視図。
【図１１】本発明の他の実施形態を示した遊技球入賞装置の斜視図。
【図１２】図１１の遊技球入賞装置の要部の斜視図。
【図１３】図１１の遊技球入賞装置の縦断面図。
【図１４】図１３の作動状態図。
【図１５】図１３の作動状態図。
【符号の説明】
１      遊技球入賞装置
６      可動部材
７      回転伝動軸
１２    クランク
１３    ピン
１４    ソレノイド
１６    孔開片
１８    係合孔
２０    拡径部（ロック手段）
【図１】
0004542674.tif 000002
【図２】
0004542674.tif 000003
【図３】
0004542674.tif 000004
【図４】
0004542674.tif 000005
【図５】
0004542674.tif 000006
【図６】
0004542674.tif 000007
【図７】
0004542674.tif 000008
【図８】
0004542674.tif 000009
【図９】
0004542674.tif 000010
【図１０】
0004542674.tif 000011
【図１１】
0004542674.tif 000012
【図１２】
0004542674.tif 000013
【図１３】
0004542674.tif 000014
【図１４】
0004542674.tif 000015
【図１５】
0004542674.tif 000016